(57)【要約】【課題】トイレブース１等のブースの出入り口Ｅに設けられる円弧状ドア装置において、円弧軌跡Ｘを描いて移動する戸体５を開放位置で停止させるにあたり、停止時の衝撃、騒音を低減させる。【解決手段】吊りレール７に、戸体５に制動を与えた緩衝状態にして戸体５を停止させるため、シリンダ式の緩衝部材１０を設けるにあたり、該緩衝部材１０を、戸体５の当接を受けて後退するロッド１０ｂの後退方向が、戸体５の円弧軌跡の接線に略沿うようにして配して、円弧軌跡Ｘを描いて移動する戸体５に対して効率良く制動を与えるようにする。【選択図】図８
2019148139.tif 000002
【特許請求の範囲】
【請求項１】
ブース前部に配される出入り口を開閉するためのブース用の円弧状ドア装置において、
該円弧状ドア装置は、出入り口をスライド移動して開閉する円弧状の戸体と、出入り口の上部からブース内上部に至るよう配され、前記戸体上端部に設けたハンガーローラを円弧軌跡を描く状態で移動案内する円弧状の吊りレールとを備え、
吊りレールの戸体停止端部位に、円弧軌跡を描いて開閉移動する戸体に制動を与えた緩衝状態にして停止させるための緩衝部材を設けるにあたり、
該緩衝部材は、ロッド先端部に戸体が当接することを受けて該ロッドがシリンダに対して直線方向に後退移動することにより制動を与えるシリンダ式のものであって、
該緩衝部材は、前記ロッドの後退方向が戸体の円弧軌跡の接線に略沿うようにして配されていることを特徴とするブース用の円弧状ドア装置。
【請求項２】
緩衝部材は、ロッドの後退移動範囲内に、戸体の円弧軌跡の接線に一致する後退位置があることを特徴とする請求項１記載のブース用の円弧状ドア装置。
【請求項３】
緩衝部材は、ロッド先端部が戸体の円弧軌跡位置に位置し、シリンダ後端部が前記円弧軌跡の外側に位置する状態で吊りレール側に配されていることを特徴とする請求項１または２記載のブース用の円弧状ドア装置。
【請求項４】
緩衝部材は、吊りレールのハンガーローラ転動面と戸体上端縁部とのあいだに配されていることを特徴とする請求項１乃至３の何れか１記載のブース用の円弧状ドア装置。
【請求項５】
吊りレールには、緩衝部材により制動を受けている戸体が停止する直前位置において弾性的に当接して戸体停止を受ける停止部材がさらに設けられていることを特徴とする請求項１乃至４の何れか１記載のブース用の円弧状ドア装置。
【請求項６】
緩衝部材と停止部材は、共通のブラケットを介して吊りレールに取付けられていることを特徴とする請求項５記載のブース用の円弧状ドア装置。
【発明の詳細な説明】
【技術分野】
【０００１】
本発明は、トイレブースやシャワーブース等の仕切られた（区画された）ブース（部屋）の出入り口に建て付けられるブース用の円弧状ドア装置の技術分野に関するものである。
【背景技術】
【０００２】
今日、トイレブース等の仕切られたブースの出入り口に建て付けられるドア装置として円弧状の戸体を円弧軌跡に沿って左右方向にスライド移動させることで出入り口の開閉をするようにした所謂円弧状ドア装置が提唱されている。このような円弧状ドア装置は、出入り口を開放したときに戸体をブース室内に引き入れた状態にできることから、通常の左右スライド式のドア装置の場合に比して、出入り口の左右幅を広く確保しながらブースの左右幅を小さいものにできる、という利点がある。そしてこの場合に、左右直線状に移動するスライド式のドア装置では、開放時あるいは閉鎖時に戸体の衝撃的な停止を回避することで騒音や振動（衝撃）の発生を低減することが試みられ、このことは円弧状ドア装置の戸体においても同様である。
そこで円弧状ドア装置において、開閉移動する戸体に対して制動を与えるため制動部材を設けて衝撃的な停止の緩衝をするようにしたものが提唱されている（例えば特許文献１参照。）。
【先行技術文献】
【特許文献】
【０００３】
【特許文献１】特開２０００−３３７０１３号公報
【発明の概要】
【発明が解決しようとする課題】
【０００４】
ところが前記従来の制動部材は、弾性変形するようゴム質弾性を有した弾性材で構成し、開閉移動しているハンガーローラが制動部材を圧縮変形することにより制動を与えるようになっていたため、例えばこれを吊りレールの戸尻側端部に設けて戸体開放時における衝撃緩衝をする構成とした場合に、逆にこれが戸体の開放操作をする際に抵抗となって働き、円滑な開放作動が損なわれるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、ブース前部に配される出入り口を開閉するためのブース用の円弧状ドア装置において、該円弧状ドア装置は、出入り口をスライド移動して開閉する円弧状の戸体と、出入り口の上部からブース内上部に至るよう配され、前記戸体上端部に設けたハンガーローラを円弧軌跡を描く状態で移動案内する円弧状の吊りレールとを備え、吊りレールの戸体停止端部位に、円弧軌跡を描いて開閉移動する戸体に制動を与えた緩衝状態にして停止させるための緩衝部材を設けるにあたり、該緩衝部材は、ロッド先端部に戸体が当接することを受けて該ロッドがシリンダに対して直線方向に後退移動することにより制動を与えるシリンダ式のものであって、該緩衝部材は、前記ロッドの後退方向が戸体の円弧軌跡の接線に略沿うようにして配されていることを特徴とするブース用の円弧状ドア装置である。
請求項２の発明は、緩衝部材は、ロッドの後退移動範囲内に、戸体の円弧軌跡の接線に一致する後退位置があることを特徴とする請求項１記載のブース用の円弧状ドア装置である。
請求項３の発明は、緩衝部材は、ロッド先端部が戸体の円弧軌跡位置に位置し、シリンダ後端部が前記円弧軌跡の外側に位置する状態で吊りレール側に配されていることを特徴とする請求項１または２記載のブース用の円弧状ドア装置である。
請求項４の発明は、緩衝部材は、吊りレールのハンガーローラ転動面と戸体上端縁部とのあいだに配されていることを特徴とする請求項１乃至３の何れか１記載のブース用の円弧状ドア装置である。
請求項５の発明は、吊りレールには、緩衝部材により制動を受けている戸体が停止する直前位置において弾性的に当接して戸体停止を受ける停止部材がさらに設けられていることを特徴とする請求項１乃至４の何れか１記載のブース用の円弧状ドア装置である。
請求項６の発明は、緩衝部材と停止部材は、共通のブラケットを介して吊りレールに取付けられていることを特徴とする請求項５記載のブース用の円弧状ドア装置である。
【発明の効果】
【０００６】
請求項１の発明とすることにより、円弧状の戸体、吊りレールを備えたブース用の円弧状ドア装置において、戸体が停止する際に戸体の動きに制動を与えて衝撃的な停止を緩衝するために設けられる緩衝部材が、ロッド先端部に戸体が当接することを受けて該ロッドがシリンダに対して後退移動して制動を与えるシリンダ式のものであるから、停止している戸体を開閉移動する際の抵抗になることがなく、円滑な開閉移動をすることができるものでありながら、前記戸体の移動に制動を与えるときのロッドの後退方向が、戸体の円弧軌跡の接線に略沿う方向になっている結果、円弧軌跡を描いて移動する戸体を、円弧軌跡からその接線方向に向けて直線的に受ける状態で制動を与えることになって、制動効率が良く、円弧軌跡を描いて移動する戸体の無理のない緩衝停止ができることになる。
請求項２の発明とすることにより、ロッドの後退移動の範囲内に戸体の円弧軌跡の接線に一致する後退位置があることになって、戸体を円弧軌跡の接線により沿う状態で直線的に受止めて制動を与えることができ、円弧軌跡を描く戸体の衝撃的な停止に対して優れた緩衝を与えることができる。
請求項３の発明とすることにより、緩衝部材が、ロッド先端部が円弧軌跡位置に位置し、シリンダ後端部が円弧軌跡の外側に位置する状態で円弧軌跡の接線に沿うよう配されることになる結果、円弧軌跡を描いて開放作動をしている戸体は、ロッド先端部に当接して制動を受け始める当初位置において、円弧軌跡の接線方向に沿う状態で受止められた制動を受けることになって、効率の良い緩衝部材による緩衝が受けられ、全開状態になって戸体が停止する際の衝撃、騒音の発生低減を大いに図ることができる。
請求項４の発明とすることにより、緩衝部材が、吊りレールのハンガーローラ転動面と戸体上端縁部とのあいだに配されることになる結果、該緩衝部材を、吊りレールの円弧軌跡に沿うハンガーローラ転動面からずれた状態で配設することが可能になって、緩衝部材の配設が、ハンガーローラ転動面に拘泥されることなく自由に設定できることになる。
請求項５の発明とすることにより、戸体が停止する際に、緩衝部材による制動緩衝に加えて、停止部材による停止受止めが停止直前においてなされることになって、戸体の衝撃的な停止をより確実に解消できて、停止時の衝撃、騒音発生をより低減できることになる。
請求項６の発明とすることにより、緩衝部材と停止部材とが設けられるものでありながら、これらは、共通した一つのブラケットを介して吊りレールに設けられることになって部品点数の低減が図れ、施工性が向上する。
【図面の簡単な説明】
【０００７】
【図１】（Ａ）（Ｂ）はトイレブースの正面図、側面図である。
【図２】トイレブースの平面図である。
【図３】トイレブースの戸体を省略した概略分解斜視図である。
【図４】円弧状ドア装置の平面図である。
【図５】（Ａ）（Ｂ）は吊りローラ部位の正面図、戸体部位の縦断面図である。
【図６】戸体が緩衝部材に当接したときの状態を示す緩衝部材部位の正面図である。
【図７】（Ａ）（Ｂ）（Ｃ）は緩衝部材部位の底面図、側面図、ハンガーローラ部位の側面図である。
【図８】（Ａ）（Ｂ）は戸体が緩衝部材に当接した当初状態を示す緩衝部材部位の正面図、底面図である。
【図９】（Ａ）（Ｂ）は戸体が緩衝部材に当接した中間状態を示す緩衝部材部位の正面図、底面図である。
【図１０】（Ａ）（Ｂ）は戸体が緩衝部材に当接して停止した状態を示す緩衝部材部位の正面図、底面図である。
【図１１】緩衝部材の組込み状態を示す分解斜視図である。
【図１２】（Ａ）（Ｂ）（Ｃ）は緩衝部材が取付けられたブラケットの平面図、正面図、底面図である。
【発明を実施するための形態】
【０００８】
以下、本発明の実施の形態について、図面に基づいて説明する。図面において、１はトイレブースであって、該トイレブース１は、左右に複数が隣接する状態で設けられたものであり、出入り口（開口）Ｅを構成すべく前面（正面）に左右間隙を存する状態で設けられる戸先側、戸尻側の前面パネル体２、３と、これら前面パネル体２、３が先端部（前端部）に設けられていてこれら前面パネル体２、３とトイレブース奥端の壁等の躯体面Ｗとのあいだを仕切る側面パネル体４とを備えることで平面視で矩形状に形成されていること等は何れも従来通りである。
尚、本実施の形態ではトイレブース１が左右に隣接されるものでありこの場合、隣接するトイレブース１間を仕切る側面パネル体４の先端部に設けられる中間の戸先側、戸尻側の前面パネル体２、３同士は左右に連続した一体もので構成され、端側の前面パネル体２、３は各別なもので構成されている。また、本実施の形態では、図２における左側のトイレブース１の左側面は、側面パネル４ではなく壁等の躯体面Ｗで形成されているが、これらの構成については必要において適宜実施できるものであることは言うまでもない。
【０００９】
５は平面視で円弧形状をした戸体であって、該戸体５は、戸体５の左右上端縁部に設けたブラケット６ａから上方に突出する状態でハンガーローラ（吊りローラ）６が設けられるが、該ハンガーローラ６が転動することで移動案内される吊りレール（ハンガーレール、案内レール）７は、前記戸体５の円弧形状に沿うよう円弧状をし、出入り口Ｅの上方とトイレブース１内に入り込む状態において左右方向一方（戸尻側）の側面パネル４の上端部とに亘るよう配設されている。因みに本実施の形態の吊りレール７は、戸先側前面パネル体２に設けたブラケット７ａ、戸尻側前面パネル体３に設けたブラケット７ｂ、側面パネル体４（あるいは躯体面Ｗ）に設けた前後一対のブラケット７ｃ、７ｄに止着されることで取付けられている。そして前記ハンガーローラ６が吊りレール７を水平方向に転動することにより、戸体５は左右方向にスライド移動して前記出入り口Ｅを閉鎖する閉鎖姿勢と、トイレブース１の戸尻側側面パネル体４側のトイレブース１内に入り込む状態になって出入り口Ｅを開放（開口）する開放姿勢とに変姿するようになっている。
【００１０】
トイレブース１には、戸体５が閉鎖した際に戸体５の戸先側端縁部が当接して受ける戸当り８、戸体５の下端縁部に形成されたガイド溝（軌道）５ａに嵌入（係合）して戸体５の開閉ガイドをするため戸尻側前面パネル体３にブラケット９ａを介して設けられるガイド体（ガイドローラ）９、戸体５が全開するときの衝撃を緩衝するべく吊りレール７の戸尻側端部に配設された後述する緩衝部材１０を備えている。尚、緩衝部材１０は必要において戸先側に設けてもよいことは勿論である。
【００１１】
前記戸当り８は、基辺部８ａの前面が戸先側前面パネル体２のブース室内側面２ａに面接触する状態でビス８ｂを介して固着されることになり、該基辺部８ａから、閉鎖した戸体５の戸先側端縁部が当接する戸当り面８ｃが形成された中空状の当接辺部８ｄが延設された構成になっている。
尚、図中、Ｓは吊りレール６と戸体５とのあいだの前面側部位を塞ぐ塞ぎ板、１１は戸体５に設けた把手、１２は戸体５に設けた施錠操作具、Ｔはトイレブース１内に設けられる便器である。
【００１２】
前記緩衝部材１０は、筒状のシリンダ１０ａと、該シリンダ１０ａに対して直線方向に進退移動するロッド（ピストンロッド）１０ｂとを備えて構成されたシリンダ式（ピストン−シリンダ式）のものであり、本実施の形態では、ロッド１０ｂの進退移動の範囲（長さ、距離）が短い（例えば１０ｍｍ）油圧式のものを採用している。
【００１３】
前記吊りレール７は、下端部にハンガーローラ６が上面を転動する転動面部７ｅが前後方向に間隙を存して形成され、該転動面部７ｅの上方には、ハンガーローラ６の転動スペースＲを介する状態で前後方向一連状に連結した上辺部（天井辺部）７ｆが設けられているが、該上辺部７ｆには、緩衝部材１０取付け用のブラケット１３の上辺部１３ａが下側から当接した状態でビス１３ｂを介して固定されている。
【００１４】
前記ブラケット１３は、上側辺部１３ａの戸先側端縁部から転動スペースＲ内に配される状態で垂下した支持辺部１３ｃが設けられ、該支持辺部１３ｃの下端縁部には転動面部７ｅ間の間隙を遊嵌状に貫通する貫通辺部１３ｄが設けられ、該貫通辺部１３ｄの下端縁部からは、転動面部７ｅの下端面に当接する状態で戸尻側に延設された下側辺部１３ｅが設けられるが、該下側辺部１３ｅはビス１３ｆを介して転動面部７ｅに固定されている。さらに下側辺部１３ｅの戸尻側端縁部からは、下側に向けて延設された取付け辺部１３ｇが設けられている。そしてこの取付け辺部１３ｇに、前記シリンダ１０ａの戸先側部位が固定されており、このようにして取付けられる緩衝部材１０は、吊りレール７の戸尻側部位において転動面部７ｅと戸体５の上端縁部との間の緩衝部材配設スペースＵに配される構成になっている。
【００１５】
一方、前記ハンガーローラ６を戸体５に取付けるためのブラケット６ａには、Ｌ字形をした当接体１４が上面側から当接され、ビス１４ａを介してブラケット６ａと共に戸体５に固定されるが、該当接体１４には、緩衝部材配設スペースＵ内に位置する状態で起立状になった当接辺１４ｂが設けられている。そして閉鎖移動過程の戸体５が全閉少し前位置に達したとき、当接辺１４ｂがロッド１０ｂの先端部１０ｃに当接（図６、図８（Ａ）（Ｂ）参照）することになり、緩衝部材１０は、このときの慣性力を受けてロッド１０ｂがシリンダ１０ａに対して後退移動を開始することになって制動を受け始めるが、この当接当初の状態では、ハンガーローラ６を支持するローラ支持体６ｂの戸尻側端部は、ブラケット１３の支持片部１３ｃに設けたゴム質弾性を有する停止部材（停止受け部材）１５からは離間（当接しない）した状態になっている。
【００１６】
そして戸体５が全閉位置側に移動する中間過程（図９（Ａ）（Ｂ）参照）では、前記ローラ支持体６ｂが停止部材１５からは離間した状態が維持されるまま、当接辺１４ｂがロッド１０ｂを後退移動させ続けることになって更なる制動を受けることになるが、さらに戸体５が停止直前位置に至ると、ローラ支持体６ｂが停止部材１５に当接することになって弾性的な制動（緩衝）をさらに受ける状態で戸体５が停止する（図１０（Ａ）（Ｂ）参照）ようになっている。
【００１７】
このように、円弧軌跡Ｘを描いて移動する戸体５が停止する際に、該戸体５は、当接辺１４ｂがロッド１０ｂに当接して後退移動させられる緩衝部材１０により制動を受けた緩衝状態で停止することになるが、本発明が実施されたものにおいては、緩衝部材１０の吊りレール７に対する配置は次のようになっている。
【００１８】
つまり本実施の形態では、戸体５が緩衝部材１０に当接した時点、具体的には、戸体５側の当接片１４ｂが緩衝部材１０のロッド先端部１０ｃに当接した位置Ｚにおいて、ロッド１０ｂの後退方向（ロッド１０ｂの長さ方向、移動方向）Ｙが、該当接位置Ｚにおける円弧軌跡Ｘの接線方向（半径線（方向）Ｖに対して直交する方向）と一致したものとなっており、これによって緩衝部材１０は、シリンダ１０ａの戸尻側である後端部１０ｄが円弧軌跡Ｘの外側に位置して外れた配置構成となっているが、前述したように緩衝部材１０は、吊りレール７の転動面部７ｅと戸体５の上端縁部との間の緩衝部材配設スペースＵに配されるため、吊りレール７の転動スペースＲに底面視したときに干渉するものであっても、問題なく配設できる構成になっている。
【００１９】
叙述の如く構成された本実施の形態において、戸体５は、共に円弧状をした吊りレール７に案内される状態で出入り口Ｅとトイレブース１の戸尻側部位に入り込んだ部位との間を左右スライド移動して出入り口Ｅの開閉をすることになるが、戸体５が開放するとき、戸体５の戸尻側端縁部は、緩衝部材１０に当接して制動を受ける緩衝状態になって停止することになり、停止時の衝撃、騒音の規制がなされることになる。
【００２０】
この場合において、前述したように、戸体５側の当接辺１４ｂのロッド先端部１０ｃへの当初の当接位置Ｚにおいて、ロッド１０ｂの後退方向Ｙが、該当接位置Ｚにおける円弧軌跡Ｘの接線方向と一致したものとなっている結果、緩衝部材１０は、円弧軌跡Ｘを描いて移動する戸体５を最も効率の良い状態で受け止めて制動を与えることになって、戸体５の停止時の緩衝を効率の良い状態で確実に行うことができる。
そしてこのような配置にすることで、緩衝部材１０は、戸尻側である後端部が円弧軌跡Ｘの外側に位置することになって吊りレール７に設けられるハンガーローラ６の転動スペースＲに底面視したときに干渉する配置になる場合があるが、緩衝部材１０は、吊りレール７の転動面部７ｅと戸体５の上端縁部との間の緩衝部材配設スペースＵに配されるため、問題なく配設することができる。
【００２１】
また本発明を実施する場合に、本実施の形態では、当接辺１４ｂのロッド先端部１０ｃへの当初の当接位置Ｚにおいて、ロッド１０ｂの後退方向Ｙが、該当接位置Ｚにおける円弧軌跡Ｘの接線方向と一致したものとなっているが、これに限定されるものではなく、ロッド先端部１０ｃの後退移動範囲Ｐの何れかに、ロッド１０ｂの後退方向Ｙと、円弧軌跡Ｘの接線方向とが一致する位置が存在するように設定することが好ましく、特に油圧シリンダ式のもので構成した後退移動範囲Ｐが短いものにおいて有効になるが、ロッド１０ｂの後退方向Ｙと、円弧軌跡Ｘの接線方向とが一致する位置が、後退移動範囲Ｐを円弧軌跡の少し前後に外れたものであっても、要求される緩衝能力を発揮できるものであれば実施することができる。
【００２２】
さらにこのものでは、戸体５が停止する直前において、吊りレール７側に設けた停止部材１５にハンガーローラ６側のローラ支持体６ｂが弾性的に当接し、そして停止することになるから、戸体５が停止する際に、緩衝部材１０と停止部材１５とによる制動機能が働くことになって、停止時において一段と優れた緩衝作用がなされ、衝撃、騒音発生の抑制ができることになる。
しかもこの場合に、緩衝部材１０と停止部材１５とは共通した同じブラケット１３を介して吊りレール７側に設けられるものであるため、これらの相互の位置決め配設が簡単になるうえ、吊りレール７への取付も容易になって施工性が向上する。
【産業上の利用可能性】
【００２３】
本発明は、トイレブースやシャワーブース等のブース用の円弧状ドア装置に利用することができる。
【符号の説明】
【００２４】
１  トイレブース
２  戸先側前面パネル体
３  戸尻側前面パネル体
５  戸体
６  ハンガーローラ
７  吊りレール
１０緩衝部材
１０ａ  シリンダ
１０ｂ  ロッド
１０ｃ  ロッド先端部
１０ｄ  シリンダ後端部
１３  ブラケット
１５  停止部材
Ｅ  出入り口
Ｐ  後退移動範囲
Ｒ  転動スペース
Ｕ  緩衝部材配設スペース
Ｘ  円弧軌跡
Ｙ  後退方向
Ｚ  当接位置
【図１】
2019148139.tif 000003
【図２】
2019148139.tif 000004
【図３】
2019148139.tif 000005
【図４】
2019148139.tif 000006
【図５】
2019148139.tif 000007
【図６】
2019148139.tif 000008
【図７】
2019148139.tif 000009
【図８】
2019148139.tif 000010
【図９】
2019148139.tif 000011
【図１０】
2019148139.tif 000012
【図１１】
2019148139.tif 000013
【図１２】
2019148139.tif 000014